(57)【要約】【課題】所望のイベントを指定するのみで、簡単に、同一種別のイベントの発生時刻を時間軸上で一致させて、過去トレンドと現在トレンドとの対比を可能とする【解決手段】過去トレンドＴＰをグラフＧ内に表示させる。過去トレンドＴＰと合わせて表示されているイベントアイコンＩＣの中から、例えばイベントアイコンＩＣ１を選択し、このイベントアイコンＩＣ１によって示されるイベントを開始イベントとして指定する。すると、その開始イベントと同一種別の最新のイベントが同期イベントとされ、この同期イベントの発生時刻と開始イベントの発生時刻との時間軸上における位置を同期させて、過去トレンドＴＰと現在トレンドＴＲとがグラフＧ内に自動的に重ね合わせて表示される。【選択図】  図７
2010128857.tif 000002
【特許請求の範囲】
【請求項１】
第１の軸を経過時間を示す時間軸とし、この時間軸に直交する第２の軸を計測値の値を示すデータ軸とし、この時間軸とデータ軸とによって表されるグラフ内に過去の計測値の推移を示す過去トレンドと現在の計測値の推移を示す現在トレンドとを表示するトレンドグラフ表示方法において、
前記計測値の収集中に発生した各種のイベントをその発生時刻を付してデータベースに記憶するステップと、
前記データベースに記憶されているイベントの中から所望のイベントが開始イベントとして指定された場合、前記データベースに記憶されているイベントの中の前記開始イベントと同一種別の最新のイベントを同期イベントとし、この同期イベントの発生時刻と前記開始イベントの発生時刻との前記時間軸上における位置を同期させて、前記過去トレンドと前記現在トレンドとを前記グラフ内に自動的に重ね合わせて表示するステップと
を備えることを特徴とするトレンドグラフ表示方法。
【請求項２】
請求項１に記載されたトレンドグラフ表示方法において、
前記時間軸上の前記同期イベントの発生時刻と前記開始イベントの発生時刻との同期位置を同期開始点とし、この同期開始点以降の前記過去トレンドと前記現在トレンドの同一時間における前記データ軸方向のずれをチェックし、このずれが所定の閾値を越えたことを確認した場合に前記現在トレンドを強調表示するステップを
備えることを特徴とするトレンドグラフ表示方法。
【請求項３】
請求項１に記載されたトレンドグラフ表示方法において、
前記時間軸上の前記同期イベントの発生時刻と前記開始イベントの発生時刻との同期位置を同期開始点とし、この同期開始点以降の前記過去トレンドと前記現在トレンドの同一計測値における前記時間軸方向のずれをチェックし、このずれが所定の閾値を越えたことを確認した場合に前記現在トレンドを強調表示するステップを
備えることを特徴とするトレンドグラフ表示方法。
【請求項４】
請求項１に記載されたトレンドグラフ表示方法において、
前記時間軸上の前記同期イベントの発生時刻と前記開始イベントの発生時刻との同期位置を同期開始点とし、この同期開始点以降の前記過去トレンドと前記現在トレンドの同一時間における前記データ軸方向のずれをチェックし、このずれが所定の閾値を越えたことを確認した場合に前記過去トレンドに対する前記時間軸のスケールを拡大又は縮小するステップ
備えることを特徴とするトレンドグラフ表示方法。
【請求項５】
第１の軸を経過時間を示す時間軸とし、この時間軸に直交する第２の軸を計測値の値を示すデータ軸とし、この時間軸とデータ軸とによって表されるグラフ内に過去の計測値の推移を示す過去トレンドと現在の計測値の推移を示す現在トレンドとを表示するトレンドグラフ表示装置において、
前記計測値の収集中に発生した各種のイベントをその発生時刻を付してデータベースに記憶する手段と、
前記データベースに記憶されているイベントの中から所望のイベントが開始イベントとして指定された場合、前記データベースに記憶されているイベントの中の前記開始イベントと同一種別の最新のイベントを同期イベントとし、この同期イベントの発生時刻と前記開始イベントの発生時刻との前記時間軸上における位置を同期させて、前記過去トレンドと前記現在トレンドとを前記グラフ内に自動的に重ね合わせて表示する手段と
を備えることを特徴とするトレンドグラフ表示装置。
【請求項６】
請求項５に記載されたトレンドグラフ表示装置において、
前記時間軸上の前記同期イベントの発生時刻と前記開始イベントの発生時刻との同期位置を同期開始点とし、この同期開始点以降の前記過去トレンドと前記現在トレンドの同一時間における前記データ軸方向のずれをチェックし、このずれが所定の閾値を越えたことを確認した場合に前記現在トレンドを強調表示する手段を
備えることを特徴とするトレンドグラフ表示装置。
【請求項７】
請求項５に記載されたトレンドグラフ表示装置において、
前記時間軸上の前記同期イベントの発生時刻と前記開始イベントの発生時刻との同期位置を同期開始点とし、この同期開始点以降の前記過去トレンドと前記現在トレンドの同一計測値における前記時間軸方向のずれをチェックし、このずれが所定の閾値を越えたことを確認した場合に前記現在トレンドを強調表示する手段を
備えることを特徴とするトレンドグラフ表示装置。
【請求項８】
請求項５に記載されたトレンドグラフ表示装置において、
前記時間軸上の前記同期イベントの発生時刻と前記開始イベントの発生時刻との同期位置を同期開始点とし、この同期開始点以降の前記過去トレンドと前記現在トレンドの同一時間における前記データ軸方向のずれをチェックし、このずれが所定の閾値を越えたことを確認した場合に前記過去トレンドに対する前記時間軸のスケールを拡大又は縮小する手段
備えることを特徴とするトレンドグラフ表示装置。
【発明の詳細な説明】
【技術分野】
【０００１】
この発明は、圧力、液量、温度等の計測値の推移をトレンドとしてグラフ内に表示するトレンドグラフ表示方法および装置に関するものである。
【背景技術】
【０００２】
従来より、プラント等の運転状態を監視する監視システムでは、プラントにおける圧力、液量、温度等の計測値を収集し、この計測値の推移をトレンドとして運転監視画面に表示するようにしている。この場合、トレンドは、例えば、横軸を経過時間を示す時間軸とし、この時間軸に直交する縦軸を計測値の値を示すデータ軸とし、この時間軸とデータ軸とによって表されるグラフ内に表示される。
【０００３】
一方、計測値の収集中、プラント内ではプロセスアラームやシステムアラーム等のイベントが発生する。例えば、計測値が所定の閾値を越えた時にプロセスアラームが発生し、システムに異常が生じた時にシステムアラームが発生する。また、システムの診断・保守操作が行われたときのイベントとして、システムメンテナンスなどもある。これらのイベントについては、その発生を通知するイベント表示が行われる。
【０００４】
このような計測値とイベントとはそれぞれが重要な上に密接に関係していることが多く、プロセスアラームなどのイベントが発生した原因を調べるには、イベントと計測値とを突き合わせる必要がある。この突き合わせ作業は、イベントの発生時刻を調べて、この発生時刻に対応する計測値をトレンド表示させるといった煩雑な作業が必要になる。この計測値とイベントの両方の比較を容易にするために、特許文献１や特許文献２に示された装置では、トレンドが表示されるグラフ内にイベントの情報も同時に表示するようにしている。
【０００５】
図１４にその一例を示す。図１４において、Ｘは時間軸、Ｙはデータ軸であり、この時間軸Ｘとデータ軸Ｙとで表されるグラフＧ内に、計測値のトレンドＴ１が表示される。また、このグラフＧ内には、計測値のトレンドＴ１と時間軸を同一として、その計測値の収集中に発生したイベントの内容を表すアイコンＩＣが表示される。例えば、アイコンＩＣ１はプロセスアラームが発生したことを示し、アイコンＩＣ２はシステムアラームが発生したことを示し、アイコンＩＣ３はシステムメンテナンスが行われたことを示す。
【０００６】
また、特許文献３には、現在のデータ（計測値）を過去のデータ（計測値）の上にプロットすることにより、より適確な運転支援を行う運転支援装置が示されている。この運転支援装置では、図１５に示すように、過去の計測値の推移を示す過去トレンドＴＰ（破線）と現在の計測値の推移を示す現在トレンドＴＲ（実線）を同一のグラフＧ内に重ね合わせて表示する。この場合、時間軸は現在の時刻を定める時間軸Ｘ１と過去の時刻を定める時間軸Ｘ２が設けられ、過去の時刻と現在の時刻をそれぞれ任意に指定することにより、現在トレンドＴＲと過去トレンドＴＰとを同一画面上に対比表示する。例えば、時間軸Ｘ１上で現在の時刻の位置を指定すると、その現在の時刻の位置を終点としてグラフＧ内に現在のトレンドＴＲがプロットされ、過去の時刻を指定すると、その過去の時刻の位置を現在の時刻の位置と同期させて、グラフＧ内に過去のトレンドＴＰがプロットされる。
【０００７】
上述した特許文献１，２に示された技術と特許文献３に示された技術との組合せ技術として、例えば図１６に示すように、現在トレンドＴＲの計測値の収集中に発生したプロセスアラームの発生時刻と過去トレンドＴＰの計測値の収集中に発生したプロセスアラームの発生時刻とを指定することにより、これらプロセスアラームの発生時刻を同期させて、現在トレンドＴＲと過去トレンドＴＰとを同一画面上に対比表示させることが考えられる。このようにすると、同一種別のプロセスアラームの発生時刻を時間軸上で一致させて、現在トレンドＴＲと過去トレンドＴＰとを重ね合わせて対比することができ、より効率的に運転・監視を行うことができるようになる。
【０００８】
【特許文献１】特開２００５−１１１７０号公報
【特許文献２】特開平１１−１３４１５４号公報
【特許文献３】特開２００５−１４８９６７号公報
【発明の開示】
【発明が解決しようとする課題】
【０００９】
しかしながら、上述した特許文献１，２，３の組合せ技術として考えられるトレンドグラフの表示方法によると、現在トレンドＴＲの計測値の収集中に発生したプロセスアラームの発生時刻と過去トレンドＴＰの計測値の収集中に発生したプロセスアラームの発生時刻とを手動で指定しなければならず、この発生時刻の手動による指定に手間がかかる。
【００１０】
本発明は、このような課題を解決するためになされたもので、その目的とするところは、所望のイベントを指定するのみで、簡単に、同一種別のイベントの発生時刻を時間軸上で一致させて、過去トレンドと現在トレンドとの対比を行うことが可能なトレンドグラフ表示方法および装置を提供することにある。
【課題を解決するための手段】
【００１１】
このような目的を達成するために本発明は、第１の軸を経過時間を示す時間軸とし、この時間軸に直交する第２の軸を計測値の値を示すデータ軸とし、この時間軸とデータ軸とによって表されるグラフ内に過去の計測値の推移を示す過去トレンドと現在の計測値の推移を示す現在トレンドとを表示するトレンドグラフ表示方法において、計測値の収集中に発生した各種のイベントをその発生時刻を付してデータベースに記憶するステップと、データベースに記憶されているイベントの中から所望のイベントが開始イベントとして指定された場合、データベースに記憶されているイベントの中の開始イベントと同一種別の最新のイベントを同期イベントとし、この同期イベントの発生時刻と開始イベントの発生時刻との時間軸上における位置を同期させて、過去トレンドと現在トレンドとをグラフ内に自動的に重ね合わせて表示するステップとを設けたものである。なお、本発明は、この方法を適用したトレンドグラフ表示装置としても構成することができる。
【００１２】
この発明によれば、所望のイベントを開始イベントとして指定すると、その開始イベントと同一種別の最新のイベントが同期イベントとされ、この同期イベントの発生時刻と開始イベントの発生時刻との時間軸上における位置を同期させて、過去トレンドと現在トレンドとが自動的にグラフ内に重ね合わせて表示される。本発明において、開始イベントの指定は、過去トレンドをグラフ内に表示させ、この過去トレンドと合わせて表示されているイベントの中から所望のイベントを指定するものとしてもよいし、事前に開始イベントとして管理されているイベントの中から指定するようにしてもよい。
【００１３】
また、本発明において、時間軸上の同期イベントの発生時刻と開始イベントの発生時刻との同期位置を同期開始点とし、この同期開始点以降の過去トレンドと現在トレンドの同一時間におけるデータ軸方向のずれをチェックし、このずれが所定の閾値を越えたことを確認した場合に現在トレンドを強調表示するようにしてもよい。
【００１４】
また、本発明において、時間軸上の同期イベントの発生時刻と開始イベントの発生時刻との同期位置を同期開始点とし、この同期開始点以降の過去トレンドと現在トレンドの同一計測値における時間軸方向のずれをチェックし、このずれが所定の閾値を越えたことを確認した場合に現在トレンドを強調表示するようにしてもよい。
【００１５】
また、本発明において、時間軸上の同期イベントの発生時刻と開始イベントの発生時刻との同期位置を同期開始点とし、この同期開始点以降の過去トレンドと現在トレンドの同一時間におけるデータ軸方向のずれをチェックし、このずれが所定の閾値を越えたことを確認した場合に過去トレンドに対する時間軸のスケールを拡大又は縮小するようにしてもよい。
【発明の効果】
【００１６】
本発明によれば、所望のイベントを開始イベントとして指定すると、その開始イベントと同一種別の最新のイベントが同期イベントとされ、この同期イベントの発生時刻と開始イベントの発生時刻との時間軸上における位置を同期させて、過去トレンドと現在トレンドとがグラフ内に自動的に重ね合わせて表示されるものとなり、所望のイベントを指定するのみで、簡単に、同一種別のイベントの発生時刻を時間軸上で一致させて、過去トレンドと現在トレンドとの対比を行うことが可能となる。
【発明を実施するための最良の形態】
【００１７】
以下、本発明を図面に基づいて詳細に説明する。図１はこの発明に係るトレンドグラフ表示方法の実施に用いるプロセス監視システムのブロック図である。
【００１８】
このプロセス監視システムは、プラント等に設置された不図示のフィールド機器（例えば、スイッチ、バルブ、ポンプ、圧力計、流量計、温度計など）を制御すると共に、フィールド機器から例えば圧力、液量、温度等の計測値（プロセスデータ）を取得するコントローラ１と、コントローラ１から計測値を収集するサーバ装置２と、オペレータの指示に応じてコントローラ１やサーバ装置２に指令を与えると共にプラントの運転監視画面を編集作成する監視装置３と、運転操作やパラメータ設定のためのキーボードやマウス等の入力装置４と、監視装置３からの画像データを受け付けて運転監視画面を表示する表示装置５とから構成される。
【００１９】
図２はサーバ装置２と監視装置３の構成を示すブロック図である。
サーバ装置２は、コントローラ１からフィールド機器の計測値を収集するデータ収集部２１と、収集した計測値を記憶するデータ記憶部２２とを有する。なお、データ収集部２１は、計測値の収集中にプラント内でプロセスアラームやシステムアラーム等のイベントが発生した場合、そのイベントを発生時刻を付してデータ記憶部２２に格納する機能も有している。このサーバ装置２におけるデータ記憶部２２が本発明でいうデータベースに相当する。
【００２０】
監視装置３は、入力装置４を通じてオペレータの要求を受け付ける要求受付部３１と、サーバ装置２のデータ記憶部２２からデータを取得するデータ取得部３２と、運転監視画面を作成する演算部３３と、演算部３３で作成された運転監視画面を表示装置５に表示させるデータ表示部３４とを有する。
【００２１】
サーバ装置２や監視装置３は、演算装置、記憶装置およびインタフェースを備えたコンピュータとこられハードウェア資源を制御するプログラムによって実現することができる。なお、本実施の形態では、サーバ装置２と監視装置３とを別々に設けているが、これらを一体化してもよい。
【００２２】
以下、本実施の形態のプロセス監視システムの動作について説明する。
サーバ装置２のデータ収集部２１は、一定時間毎にコントローラ１にアクセスし、フィールド機器からの計測値を収集し、データ記憶部２２に格納する。また、データ収集部２１は、計測値の収集中にプラント内でプロセスアラームやシステムアラーム等のイベントが発生した場合、そのイベントを発生時刻を付してデータ記憶部２２に格納する。
【００２３】
〔過去トレンドの表示〕
監視装置３の要求受付部３１は、入力装置４を通じてオペレータからの要求を受けると、その要求をデータ取得部３２に渡す。ここで、オペレータからの要求として、過去トレンドの表示要求が出されたとする。例えば、計測値と期間を指定して、過去トレンドの表示要求が出されたとする。
【００２４】
データ取得部３２は、このオペレータからの過去トレンドの表示要求を受けて（図３：ステップＳ１０１のＹＥＳ）、指定された計測値について、指定された期間のデータ（計測値とイベントデータ）をデータ記憶部２２から取得し、この取得したデータとオペレータからの要求を演算部３３に送る。
【００２５】
演算部３３は、データ取得部３２から送られてきたデータとオペレータからの要求とに基づいて、オペレータの要求に対応する運転監視画面を作成し（ステップＳ１０２）、この作成した運転監視画面の画像データを表示部３４を介して表示装置５に出力する（ステップＳ１０３）。
【００２６】
この場合、演算部３３は、図５に示すように、指定された計測値について、指定された期間の過去トレンドＴＰを作成し、この過去トレンドＴＰを時間軸Ｘとデータ軸Ｙとで表されるグラフＧ内に表示させる。また、このグラフＧ内に、過去トレンドＴＰと時間軸を同一として、この過去トレンドＴＰの計測値の収集中に発生したイベントの内容を表すアイコン（以下、イベントアイコンと呼ぶ）ＩＣを表示させる。
【００２７】
〔現在トレンドの対比表示〕
オペレータは、グラフＧ内に表示された過去トレンドＴＰに対して現在トレンドの対比表示を行わせたい場合、過去トレンドＴＰと合わせて表示されているイベントアイコンＩＣの中から、例えばイベントアイコンＩＣ１を選択し、このイベントアイコンＩＣ１によって示されるイベントを開始イベントとして指定する。この指定は、イベントアイコンＩＣ１上にポインタを移動させ、マウスを右クリックすることによって表示されるポップアップメニューＰＯＭ（図６参照）から「開始イベントに指定」を選択することによって行う。
【００２８】
このようにして、開始イベントとして指定されると（図４：ステップＳ２０１のＹＥＳ）、データ取得部３２は、データ記憶部２２に記憶されているイベント中の開始イベントと同一種別の最新のイベントを同期イベントとし（ステップＳ２０２）、この同期イベントのデータおよびこの同期イベントの発生時刻以降の現在までの計測値（過去トレンドＴＰと同じ計測値）をデータ記憶部２２から取得し（ステップＳ２０３）、この取得した同期イベントのデータおよび同期イベントの発生時刻以降の現在までの計測値を演算部３３に送る。
【００２９】
この例では、イベントアイコンＩＣ１の種別がプロセスアラームであるので、データ記憶部２２に記憶されている最新のプロセスアラームが同期イベントとされ、この同期イベントのデータおよび同期イベントの発生時刻以降の現在までの計測値が演算部３３に送られる。
【００３０】
演算部３３は、データ取得部３２から送られてくる同期イベントのデータおよび同期イベントの発生時刻以降の現在までの計測値を受けて、図７に示すように、グラフＧ内に、同期イベントの発生時刻と開始イベントの発生時刻との時間軸Ｘ上における位置を同期させて、過去トレンドＴＰと現在トレンドＴＲとを重ね合わせて表示させる（ステップＳ２０４）。
【００３１】
なお、この場合、過去トレンドＴＰは破線で表示し、現在トレンドＴＲは実線で表示する。また、過去トレンドＴＰと現在トレンドＴＲは、時間軸Ｘ上の同期イベントの発生時刻と開始イベントの発生時刻との同期位置を同期開始点Ｐ０とし、この同期開始点Ｐ０から後の計測値の推移をプロットする。
【００３２】
このように、本実施の形態では、グラフＧ内に過去トレンドＴＰを表示させ、この過去トレンドＴＰと合わせて表示されているイベントアイコンＩＣを選択し、所望のイベントを開始イベントとして指定するのみで、その開始イベントの発生時刻と同一種別の最新のイベント（同期イベント）の発生時刻とを同期させて過去トレンドＴＰと現在トレンドＴＲとを自動的に重ね合わせてグラフＧ内に表示させることができ、簡単に、同一種別のイベントの発生時刻を時間軸上で一致させて、過去トレンドＴＰと現在トレンドＴＲとの対比を行うことができるようになる。
【００３３】
なお、本実施の形態において、過去トレンドＴＰとしては、所望のイベントが発生した場合の理想的な状態のものを表示させるようにするとよい。この場合、理想的な状態の過去トレンドＴＰと現在トレンドＴＲとが、同一種別のイベントの発生時刻を時間軸上で一致させて重ね合わせて表示されるものとなる。これにより、理想的な状態の過去トレンドＴＰと現在トレンドＴＲとを対比して、より効率的に運転・監視を行うことができるようになる。
【００３４】
上述した実施の形態では、時間軸Ｘ上の同期イベントの発生時刻と開始イベントの発生時刻との同期位置を同期開始点Ｐ０とし、この同期開始点Ｐ０から後の過去トレンドＴＰと現在トレンドＴＲの計測値の推移をプロットするようにしたが、図８に示すように、同期開始点Ｐ０の前からの計測値の推移も含めてプロットするようにしてもよい。このようにすると、同期開始点Ｐ０の後の過去トレンドＴＰと現在トレンドＴＲの計測値の推移だけではなく、同期開始点Ｐ０の前の過去トレンドＴＰと現在トレンドＴＲの計測値の推移も対比することができ、より適確に過去トレンドＴＰと現在トレンドＴＲとの対比を行うことが可能となる。
【００３５】
また、上述した実施の形態では、グラフＧ内に過去トレンドＴＰを表示させ、この過去トレンドＴＰと合わせて表示されているイベントアイコンＩＣを選択することによって所望のイベントを開始イベントとして指定するようにしたが、事前に開始イベントとして管理されているイベントの中から指定するようにしてもよい。この場合、例えば、図９に示すように、イベントの選択ウィンドウＷ１を運転監視画面に表示させ、開始イベントとして管理されているイベントの中から、イベント名称、イベントＩＤなどで所望の開始イベントを指定するようにすることが考えられる。
【００３６】
〔強調表示：例１〕
また、上述した実施の形態において、同期開始点Ｐ０以降の過去トレンドＴＰと現在トレンドＴＲの同一時間におけるデータ軸方向（Ｙ軸方向）のずれをチェックし、このずれが所定の閾値を越えたことを確認した場合に現在トレンドＴＲを強調表示するようにしてもよい。
【００３７】
図１０にこの場合の例を示す。図１０（ａ）は現在トレンドＴＲを強調表示する前の状態を示し、図１０（ｂ）は現在トレンドＴＲを強調表示した後の状態を示す。この場合、演算部３３は、同期開始点Ｐ０以降の過去トレンドＴＰと現在トレンドＴＲの同一時間における計測値の差を求め、この差の絶対値が予め定められている許容値ΔＤｔｈを越えたことを確認した場合に、現在トレンドＴＲを太線表示とする。なお、この場合の現在トレンドＴＲの強調表示は、太線表示に限られるものではなく、色を変えたり、点滅などとしてもよい。
【００３８】
〔強調表示：例２〕
また、上述した実施の形態において、同期開始点Ｐ０以降の過去トレンドＴＰと現在トレンドＴＲの同一計測値における時間軸方向（Ｘ軸方向）のずれをチェックし、このずれが所定の閾値を越えたことを確認した場合に現在トレンドＴＲを強調表示するようにしてもよい  
【００３９】
図１１にこの場合の例を示す。図１１（ａ）は現在トレンドＴＲを強調表示する前の状態を示し、図１１（ｂ）は現在トレンドＴＲを強調表示した後の状態を示す。この場合、演算部３３は、同期開始点Ｐ０以降の過去トレンドＴＰと現在トレンドＴＲの同一計測値における時間値の差を求め、この時間値の差の絶対値が予め定められている許容値ΔＴｔｈを越えたことを確認した場合に、現在トレンドＴＲを太線表示とする。なお、この場合の現在トレンドＴＲの強調表示は、太線表示に限られるものではなく、色を変えたり、点滅などとしてもよい。
【００４０】
〔自動スケール〕
また、上述した実施の形態において、同期開始点Ｐ０以降の過去トレンドＴＰと現在トレンドＴＲの同一時間におけるデータ軸方向（Ｙ軸方向）のずれをチェックし、このずれが所定の閾値を越えたことを確認した場合に過去トレンドＴＰに対する時間軸Ｘのスケールを拡大したり、縮小したりしてもよい。
【００４１】
図１２にこの場合の例を示す。図１２（ａ），（ｂ）は過去トレンドＴＲに対する時間軸Ｘのスケールを拡大表示する前の状態を示し、図１２（ｃ）は過去トレンドＴＲに対する時間軸Ｘのスケールを拡大表示した後の状態を示す。この場合、演算部３３は、同期開始点Ｐ０以降の過去トレンドＴＰと現在トレンドＴＲの同一時間における計測値の差を求め、現在トレンドＴＲの計測値が過去トレンドＴＰの計測値よりも予め定められている許容値ΔＤｔｈを越えて下回ったことを確認した場合に（図１２（ｂ））、過去トレンドＴＰに対する時間軸Ｘのスケールを拡大する（図１２（ｃ））。これにより、過去トレンドＴＰが図示右方向にシフトし、現在トレンドＴＲと過去トレンドＴＰとを対比し易くなる。
【００４２】
なお、図１２には、現在トレンドＴＲの計測値が過去トレンドＴＰの計測値よりも許容値ΔＤｔｈを越えて下回ったことを確認した場合の例を示したが、現在トレンドＴＲの計測値が過去トレンドＴＰの計測値よりも許容値ΔＤｔｈを越えて上回ったことを確認した場合には、過去トレンドＴＰに対する時間軸Ｘのスケールを縮小する。これにより、過去トレンドＴＰが図示左方向にシフトし、現在トレンドＴＲと過去トレンドＴＰとを対比し易くなる。
【００４３】
また、図１２には上昇トレンドの場合を示したが、下降トレンドの場合には、上昇トレンドの場合とそのロジックが逆となる。すなわち、下降トレンドの場合には、現在トレンドＴＲの計測値が過去トレンドＴＰの計測値よりも許容値ΔＤｔｈを越えて下回ったことを確認した場合、過去トレンドＴＰに対する時間軸Ｘのスケールを縮小し、現在トレンドＴＲの計測値が過去トレンドＴＰの計測値よりも許容値ΔＤｔｈを越えて上回ったことを確認した場合、過去トレンドＴＰに対する時間軸Ｘのスケールを拡大する。
【００４４】
また、上述した実施の形態において、許容値ΔＤｔｈやΔＴｔｈは、全体で１つとして定めてもよいし、イベントからイベントまでの間毎に定めるようにしてもよい。
【００４５】
また、上述した実施の形態では、グラフＧを２次元のグラフとしたが、図１３に示すようにＸ，Ｙ，Ｚ軸で表される３次元のグラフＧ’内に、過去トレンドＴＰと現在トレンドＴＲとを重ね合わせて表示するようにしてもよい。
【００４６】
また、自動スケールに加えて、手動で過去トレンドＴＰを伸縮させ、基準線となる過去トレンドＴＰを微調整できるようにしてもよい。
【図面の簡単な説明】
【００４７】
【図１】本発明に係るトレンドグラフ表示方法の実施に用いるプロセス監視システムのブロック図である。
【図２】このプロセス監視システムにおけるサーバ装置と監視装置の構成を示すブロック図である。
【図３】このプロセス監視システムにおける監視装置での過去トレンドを表示する際の動作を説明するためのフローチャートである。
【図４】このプロセス監視システムにおける監視装置での現在トレンドを対比表示させる際の動作を説明するためのフローチャートである。
【図５】過去トレンドの表示例を示す図である。
【図６】過去トレンドが表示されたグラフ内において開始イベントを指定する際に表示させるポップアップメニューを例示する図である。
【図７】開始イベントを指定した場合にグラフ内に重ね合わせて表示される過去トレンドと現在トレンドの表示例を示す図である。
【図８】開始イベントを指定した場合にグラフ内に重ね合わせて表示される過去トレンドと現在トレンドの他の表示例を示す図である。
【図９】開始イベントを事前に管理されているイベントの中から指定する場合の一例として運転監視画面に表示するイベントの選択ウィンドウを例示する図である。
【図１０】現在トレンドの強調表示の第１例（例１）を説明する図である。
【図１１】現在トレンドの強調表示の第２例（例２）を説明する図である。
【図１２】過去トレンドに対する時間軸のスケールを自動調整（自動スケール）させる場合の例を説明する図である。
【図１３】３次元のグラフ内への過去トレンドと現在トレンドとの重ね合わせての表示例を示す図である。
【図１４】特許文献１，２に示されたトレンドと合わせてイベントの情報も表示するようにした例を説明する図である。
【図１５】特許文献３に示された過去トレンドと現在トレンドとを重ね合わせて表示するようにした例を説明する図である。
【図１６】特許文献１，２，３の組合せ技術として考えられる過去トレンドと現在トレンドとの同一種別のイベントの発生時刻を同期させての表示例を説明する図である。
【符号の説明】
【００４８】
１…コントローラ、２…サーバ装置、３…監視装置、４…入力装置、５…表示装置、２１…データ収集部、２２…データ記憶部、３１…要求受付部、３２…データ取得部、３３…演算部、３４…データ表示部、Ｇ…グラフ、Ｘ…時間軸、Ｙ…データ軸、ＴＰ…過去トレンド、ＴＲ…現在トレンド、ＩＣ（ＩＣ１〜ＩＣ３）…イベントアイコン、ＰＯＭ…ポップアップメニュー、Ｗ１…イベントの選択ウィンドウ、Ｐ０…同期開始点。
【図１】
2010128857.tif 000003
【図２】
2010128857.tif 000004
【図３】
2010128857.tif 000005
【図４】
2010128857.tif 000006
【図５】
2010128857.tif 000007
【図６】
2010128857.tif 000008
【図７】
2010128857.tif 000009
【図８】
2010128857.tif 000010
【図９】
2010128857.tif 000011
【図１０】
2010128857.tif 000012
【図１１】
2010128857.tif 000013
【図１２】
2010128857.tif 000014
【図１３】
2010128857.tif 000015
【図１４】
2010128857.tif 000016
【図１５】
2010128857.tif 000017
【図１６】
2010128857.tif 000018